(57)【要約】【課題】処理容器の内部表面の温度上昇を抑制することができ、生ゴミの中にご飯等が含まれている場合にも、それが餅状となるか又は焦げとなり処理容器の内部表面並びに回転翼や撹拌羽根にこびり付いて離れなくなることを防止し得、生ゴミ処理の安定化を図り得る生ゴミ処理機を提供する。【解決手段】処理容器１を冷却するための冷却手段３０として、ハウジング２と処理容器１との間の空間Ｓに冷却空気を送り込む送給用冷却ファン３０ａ，３０ｂと、該送給用冷却ファン３０ａ，３０ｂによってハウジング２と処理容器１との間の空間Ｓに送り込まれた冷却空気をハウジング２の外部へ排出する排気用冷却ファン３０ｃとを備える。【選択図】図１
2005334802.tif 000002
【特許請求の範囲】
【請求項１】
ハウジング内に設置された処理容器内に投入した生ゴミを、撹拌羽根を回転させて撹拌すると共に、回転翼を回転させて切断又は破砕しつつ、マイクロ波を照射し且つ送風を行って加熱乾燥させるようにした生ゴミ処理機において、
処理容器を冷却するための冷却手段を備えたことを特徴とする生ゴミ処理機。
【請求項２】
冷却手段を、ハウジングと処理容器との間の空間に冷却空気を流通せしめる冷却ファンによって構成した請求項１記載の生ゴミ処理機。
【請求項３】
冷却ファンを、ハウジングと処理容器との間の空間に冷却空気を送り込む送給用冷却ファンと、該送給用冷却ファンによってハウジングと処理容器との間の空間に送り込まれた冷却空気をハウジングの外部へ排出する排気用冷却ファンとから構成した請求項２記載の生ゴミ処理機。 
【発明の詳細な説明】
【技術分野】
【０００１】
本発明は、マイクロ波加熱式の生ゴミ処理機、特に、処理容器内に投入した生ゴミを、撹拌羽根を回転させて撹拌すると共に、カッタ又は破砕翼等の回転翼を回転させて切断又は破砕しつつ、マイクロ波を照射し且つ送風を行って加熱乾燥させる生ゴミ処理機に関するものである。
【背景技術】
【０００２】
この種の生ゴミ処理機としては、従来、特許文献１に開示されたようなものがある。
【０００３】
図４〜図６は、特許文献１に開示された生ゴミ処理機を示すものであって、有底円筒形金属製の処理容器１をハウジング２内に固定設置し、この処理容器１の上面開口を、ハウジング２に枢着されたマイクロ波遮蔽上蓋３にて開閉でき、又、処理容器１の側壁下部に、マイクロ波透過材料で閉じられた二つのマイクロ波照射口４を設け、処理容器１とハウジング２との間に設置された二台のマグネトロン（マイクロ波発振器）５から、それぞれの導波管５ａ及びマイクロ波照射口４を通じて処理容器１内にマイクロ波を照射する構造になっている。
【０００４】
又、処理容器１には、送風ダクト６と排気ダクト７とが接続されており、各マグネトロン５において吸気ファン（図示せず）により冷却に供されて暖められた空気が、送風ダクト６を通じて処理容器１内に温風となって送風されながら、処理容器１内のガスが、処理容器１の上部に設けられた排気口（図示せず）から、排気ファン８により排気ダクト７を通じて外部へ強制排気されるようになっている。更に、処理容器１の底部には、図７に示されるように、マイクロ波が漏洩しないサイズとした複数のドレン孔１ａが設けられており、ここから自動的に排水できるようになっている。
【０００５】
一方、処理容器１内の底部中央には、回転翼軸９と円筒形の撹拌軸１０とが同芯状に貫通配置され、回転翼軸９の上端には、図７に示されるように、カッタ又は破砕翼等の回転翼１１が取り付けられ、撹拌軸１０には、回転翼１１よりも下方において撹拌羽根１２が取り付けられている。回転翼１１は、図４に示されるように、ハウジング２内の下部に設置された回転翼モータ１３により回転され、撹拌羽根１２は、同じくハウジング２内の下部に設置された撹拌モータ１４により回転されるようになっている。
【０００６】
そして、処理容器１の周壁下部には、図７に示されるように、ドレン孔１ａの近傍において排出口１ｂが設けられ、この排出口１ｂは、図４及び図８に示されるように、処理容器１の周壁外側に枢着された排出扉２０にて開閉され、該排出扉２０は、ロックレバー２２の操作によりロック状態とロック解除状態とに切り換えられるようになっている。
【０００７】
前述の如き従来の生ゴミ処理機においては、処理容器１内に生ゴミを投入してマイクロ波遮蔽上蓋３を閉じた後、図示していないタッチ操作パネルにより、回転翼モータ１３による回転翼１１の各ステップ毎の切替時間、間欠回転の間欠時間、及び回転数等といった回転に関するパラメータを任意に設定入力し、且つ撹拌モータ１４による撹拌羽根１２の各ステップ毎の回転に関するパラメータを任意に設定入力し、スタートボタンを押すと、生ゴミは、回転する撹拌羽根１２により撹拌されると共に、回転する回転翼１１により切断又は破砕されつつ、マグネトロン５からマイクロ波が照射され且つ送風が行われて加熱乾燥され、運転終了後、排出扉２０が開放されて処理物が排出口１ｂから排出される。
【特許文献１】特開２００２−３７００７９号公報
【発明の開示】
【発明が解決しようとする課題】
【０００８】
しかしながら、従来の生ゴミ処理機においては、生ゴミの処理中に処理容器１の内部表面の温度が上がってしまうため、特に、生ゴミの中にご飯等が含まれている場合、それが餅状となることにより処理容器１の内部表面に付着し、更にそれが焦げてしまい、処理容器１の内部表面だけでなく回転翼１１や撹拌羽根１２にもこびり付いて離れなくなり、生ゴミの処理がうまくできなくなることがあった。
【０００９】
本発明は、斯かる実情に鑑み、処理容器の内部表面の温度上昇を抑制することができ、生ゴミの中にご飯等が含まれている場合にも、それが餅状となるか又は焦げとなり処理容器の内部表面並びに回転翼や撹拌羽根にこびり付いて離れなくなることを防止し得、生ゴミ処理の安定化を図り得る生ゴミ処理機を提供しようとするものである。
【課題を解決するための手段】
【００１０】
本発明は、ハウジング内に設置された処理容器内に投入した生ゴミを、撹拌羽根を回転させて撹拌すると共に、回転翼を回転させて切断又は破砕しつつ、マイクロ波を照射し且つ送風を行って加熱乾燥させるようにした生ゴミ処理機において、
処理容器を冷却するための冷却手段を備えたことを特徴とする生ゴミ処理機にかかるものである。
【００１１】
上記手段によれば、以下のような作用が得られる。
【００１２】
処理容器内に生ゴミを投入して処理を開始すると、生ゴミは、回転する撹拌羽根により撹拌されると共に、回転する回転翼により切断又は破砕されつつ、マグネトロンからマイクロ波が照射され且つ送風が行われて、前記生ゴミの加熱乾燥が行われるが、この時、処理容器は、冷却手段によって冷却されるため、生ゴミの処理中に処理容器の内部表面の温度が必要以上に上昇しなくなる。
【００１３】
この結果、生ゴミの中にご飯等が含まれている場合に、処理容器の内部表面に生ゴミが付着したとしても、それが餅状となるか又は焦げとならず、処理容器の内部表面並びに回転翼や撹拌羽根に生ゴミがこびり付いて離れなくなってしまうようなことが避けられ、生ゴミの処理が安定して行われることとなる。
【００１４】
前記生ゴミ処理機においては、冷却手段を、ハウジングと処理容器との間の空間に冷却空気を流通せしめる冷却ファンによって構成することができる。
【００１５】
更に、前記冷却ファンを、ハウジングと処理容器との間の空間に冷却空気を送り込む送給用冷却ファンと、該送給用冷却ファンによってハウジングと処理容器との間の空間に送り込まれた冷却空気をハウジングの外部へ排出する排気用冷却ファンとから構成することができ、このようにすると、生ゴミの処理中、ハウジングと処理容器との間の空間には、冷却手段を構成する送給用冷却ファンから冷却空気が送り込まれ、処理容器の外周面に沿って流れると共に、該送給用冷却ファンによってハウジングと処理容器との間の空間に送り込まれた冷却空気が排気用冷却ファンによりハウジングの外部へ排出される形となる。
【発明の効果】
【００１６】
本発明の請求項１〜３記載の生ゴミ処理機によれば、処理容器の内部表面の温度上昇を抑制することができ、生ゴミの中にご飯等が含まれている場合にも、それが餅状となるか又は焦げとなり処理容器の内部表面並びに回転翼や撹拌羽根にこびり付いて離れなくなることを防止し得、生ゴミ処理の安定化を図り得るという優れた効果を奏し得る。
【発明を実施するための最良の形態】
【００１７】
以下、本発明の実施の形態を添付図面を参照して説明する。
【００１８】
図１〜図３は本発明を実施する形態の一例であって、図中、図４〜図８と同一の符号を付した部分は同一物を表わしており、基本的な構成は図４〜図８に示す従来のものと同様であるが、本図示例の特徴とするところは、図１〜図３に示す如く、処理容器１を冷却するための冷却手段３０を備えた点にある。
【００１９】
本図示例の場合、前記冷却手段３０は、ハウジング２と処理容器１との間の空間Ｓに冷却空気を流通せしめる冷却ファンによって構成してあり、より具体的には、ハウジング２と処理容器１との間の空間Ｓに冷却空気を送り込む送給用冷却ファン３０ａ，３０ｂと、該送給用冷却ファン３０ａ，３０ｂによってハウジング２と処理容器１との間の空間Ｓに送り込まれた冷却空気をハウジング２の外部へ排出する排気用冷却ファン３０ｃとから構成してある。
【００２０】
尚、前記送給用冷却ファン３０ａ，３０ｂの個数、並びに排気用冷却ファン３０ｃの個数については、それぞれ二個と一個に限らず、生ゴミ処理機の容量や冷却ファンのための設置スペースに応じて適宜変更しても良いことは言うまでもない。
【００２１】
又、図１〜図３中、４０は送風ダクト６に風を送り込むための吸気ファンである。
【００２２】
次に、上記図示例の作用を説明する。
【００２３】
処理容器１内に生ゴミを投入してマイクロ波遮蔽上蓋３を閉じた後、図示していない操作パネルのスタートボタンを押すと、生ゴミは、回転する撹拌羽根１２により撹拌されると共に、回転する回転翼１１により切断又は破砕されつつ、マグネトロン５からマイクロ波が照射され且つ吸気ファン４０による送風が行われて、前記生ゴミの加熱乾燥が行われるが、この時、ハウジング２と処理容器１との間の空間Ｓには、図１（ａ）に示す如く、冷却手段３０を構成する送給用冷却ファン３０ａ，３０ｂから冷却空気が送り込まれ、処理容器１の外周面に沿って流れると共に、該送給用冷却ファン３０ａ，３０ｂによってハウジング２と処理容器１との間の空間Ｓに送り込まれた冷却空気が排気用冷却ファン３０ｃによりハウジング２の外部へ排出されるため、生ゴミの処理中に処理容器１の内部表面の温度が必要以上に上昇しなくなる。
【００２４】
この結果、生ゴミの中にご飯等が含まれている場合に、処理容器１の内部表面に生ゴミが付着したとしても、それが餅状となるか又は焦げとならず、処理容器１の内部表面並びに回転翼１１や撹拌羽根１２に生ゴミがこびり付いて離れなくなってしまうようなことが避けられ、生ゴミの処理が安定して行われることとなる。
【００２５】
尚、前記吸気ファン４０によって吸い込まれる空気は、図１（ｂ）に示す如く、マグネトロン５の冷却に供されて暖められ、送風ダクト６を通じて処理容器１内に温風となって送風され、生ゴミの加熱乾燥に用いられた後、排気ダクト７を通じて排気ファン８により外部へ強制排気されるようになっている。
【００２６】
こうして、処理容器１の内部表面の温度上昇を抑制することができ、生ゴミの中にご飯等が含まれている場合にも、それが餅状となるか又は焦げとなり処理容器１の内部表面並びに回転翼１１や撹拌羽根１２にこびり付いて離れなくなることを防止し得、生ゴミ処理の安定化を図り得る。
【００２７】
尚、本発明の生ゴミ処理機は、上述の図示例にのみ限定されるものではなく、本発明の要旨を逸脱しない範囲内において種々変更を加え得ることは勿論である。
【図面の簡単な説明】
【００２８】
【図１】本発明を実施する形態の一例におけるハウジング内部を示す平面図であって、（ａ）は処理容器用の冷却空気の流れを示す図、（ｂ）は処理容器内へ吸・排気される送風の流れを示す図である。
【図２】本発明を実施する形態の一例におけるハウジング内部を示す後面図であって、図１（ａ）のＩＩ−ＩＩ矢視相当図である。
【図３】本発明を実施する形態の一例におけるハウジング内部を示す側面図であって、図２のＩＩＩ−ＩＩＩ矢視相当図である。
【図４】従来例の全体概要正面図である。
【図５】従来例の全体概要側面図である。
【図６】従来例の全体概要平面図である。
【図７】従来例における撹拌羽根と回転翼との組み合わせ状態を示す斜視図である。
【図８】従来例における処理容器の排出口を開閉する排出扉の半開き状態を示す斜視図である。
【符号の説明】
【００２９】
１    処理容器
２    ハウジング
５    マグネトロン
１１    回転翼
１２    撹拌羽根
３０    冷却手段
３０ａ  送給用冷却ファン（冷却ファン）
３０ｂ  送給用冷却ファン（冷却ファン）
３０ｃ  排気用冷却ファン（冷却ファン）
Ｓ    空間
【図１】
2005334802.tif 000003
【図２】
2005334802.tif 000004
【図３】
2005334802.tif 000005
【図４】
2005334802.tif 000006
【図５】
2005334802.tif 000007
【図６】
2005334802.tif 000008
【図７】
2005334802.tif 000009
【図８】
2005334802.tif 000010